(57)【要約】【課題】車両を転回走行させる運転者に将来の後輪軌跡を容易に把握させる。【解決手段】車両１の側部に設けられたバックミラー４の鏡面５は、車両１の後輪を含む車両１の側後方の鏡像を車室内の運転席に着座した運転者から視認可能に映す。鏡面５には、ハンドルの最大操舵角に対応した後輪の将来の移動軌跡が、後輪の鏡像ＭＴＲ，ＭＴＬから延びる推定後輪軌跡１０として表示される。【選択図】図１
2014040190.tif 000002
【特許請求の範囲】
【請求項１】
車両の側部に設けられ、前記車両の後輪を含む前記車両の側後方の画像を車室内の運転席に着座した運転者から視認可能に表示する表示面と、
前記車両が転回した場合の前記後輪の将来の移動軌跡を、前記後輪の画像から延びる推定後輪軌跡として前記表示面に表示する後輪軌跡表示手段と、を備え、
前記後輪軌跡表示手段は、前記車両の特定の操舵角に対応する軌跡を前記推定後輪軌跡として表示する
ことを特徴とする後輪軌跡表示装置。
【請求項２】
請求項１に記載の後輪軌跡表示装置であって、
前記特定の操舵角は、前記車両の直進走行時に対する最大操舵角である
ことを特徴とする後輪軌跡表示装置。
【請求項３】
請求項１又は請求項２に記載の後輪軌跡表示装置であって、
前記車両が右折準備中又は右折中であるとき右折支援状態であると判定し、前記車両が左折準備中又は左折中であるとき左折支援状態であると判定する右左折判定手段を備え、
前記表示面は、前記車両の右側に設けられて右側の後輪の画像を表示する右表示面と、前記車両の左側に設けられて左側の後輪の画像を表示する左表示面とを有し、
前記後輪軌跡表示手段は、前記右折支援状態であると前記右左折判定手段が判定したとき、前記車両が右転回して前進した場合の前記右側の後輪の将来の移動軌跡を、右折時の推定後輪軌跡として前記右表示面に表示し、前記左折支援状態であると前記右左折判定手段が判定したとき、前記車両が左転回して前進した場合の前記左側の後輪の将来の移動軌跡を、左折時の推定後輪軌跡として前記左表示面に表示する
ことを特徴とする後輪軌跡表示装置。
【請求項４】
請求項１又は請求項２に記載の後輪軌跡表示装置であって、
前記車両が後退準備中又は後退中であるとき後退支援状態であると判定する後退判定手段を備え、
前記表示面は、前記車両の右側に設けられて右側の後輪の画像を表示する右表示面と、前記車両の左側に設けられて左側の後輪の画像を表示する左表示面とを有し、
前記後輪軌跡表示手段は、前記後退支援状態であると前記後退判定手段が判定したとき、前記車両が右転回して後退した場合の前記右側の後輪の将来の移動軌跡を、右後退時の推定後輪軌跡として前記右表示面に表示するとともに、前記車両が左転回して後退した場合の前記左側の後輪の将来の移動軌跡を、左後退時の推定後輪軌跡として前記左表示面に表示する
ことを特徴とする後輪軌跡表示装置。
【請求項５】
請求項１〜請求項４のうち何れか１項に記載の後輪軌跡表示装置であって、
前記表示面は、前記後輪を含む前記車両の側後方の画像を鏡像として映すバックミラーの鏡面であり、
前記後輪軌跡表示手段は、前記後輪の鏡像から延びる前記推定後輪軌跡を前記鏡面に表示する
ことを特徴とする後輪軌跡表示装置。
【請求項６】
請求項５に記載の後輪軌跡表示装置であって、
前記鏡面は、透過性を有し、
前記後輪軌跡表示手段は、前記推定後輪軌跡に沿って前記鏡面の裏面側に配置されて発光する複数の発光部を有する
ことを特徴とする後輪軌跡表示装置。
【発明の詳細な説明】
【技術分野】
【０００１】
本発明は、車両に搭載される後輪軌跡表示装置に関する。
【背景技術】
【０００２】
車両の右左折時には、周囲の物体や人との接触（巻き込みを含む）による事故が発生し易い。このような右左折時の危険運転や事故の発生を防止するための公知の装置として、車両の後輪やその周辺を照射するものがある（例えば、特許文献１〜３）。
【先行技術文献】
【特許文献】
【０００３】
【特許文献１】特開2000-71869号公報
【特許文献２】特開2006-324222号公報
【特許文献３】登録実用新案第3142339号公報
【発明の概要】
【発明が解決しようとする課題】
【０００４】
車両の運転者は、車両の右左折時や転回後退時においてハンドルの操舵角に対する将来の後輪軌跡（後輪が通ると考えられるライン）を事前に把握することが難しい。特に、乗用車と比較して車長やホイールベースが長い商用車の場合、その車両の運転に熟練していない運転者にとって後輪軌跡を事前に把握することは非常に困難である。このため、周囲の物体や人との接触を早い段階から回避することが難しい。
【０００５】
車両の後輪やその周辺を照射する上記従来の装置の場合、運転者は、現在の後輪位置を比較的容易に把握することが可能となる。しかし、運転者に提供される情報は、現在の車両（後輪位置）と周辺環境との関係性を示す静的な情報に過ぎず、将来の後輪軌跡を推定可能な情報ではない。また、走行中の周辺環境は時々刻々と変化するため、後輪位置やその周辺の照射によって運転中の運転者が将来的な後輪軌跡を把握することは困難である。
【０００６】
本発明は、上記実状に鑑み、車両を転回走行させる運転者が将来の後輪軌跡を容易に把握することが可能な後輪軌跡表示装置の提供を目的とする。
【課題を解決するための手段】
【０００７】
上記目的を達成すべく、本発明の第１の態様の後輪軌跡表示装置は、表示面と後輪軌跡表示手段とを備える。表示面は、車両の側部に設けられ、車両の後輪を含む車両の側後方の画像を車室内の運転席に着座した運転者から視認可能に表示する。後輪軌跡表示手段は、車両が転回した場合の後輪の将来の移動軌跡を、後輪の画像から延びる推定後輪軌跡として表示面に表示する。後輪軌跡表示手段は、車両の特定の操舵角に対応する軌跡を推定後輪軌跡として表示する。
【０００８】
特定の操舵角に対応する軌跡とは、特定の操舵角で車両が転回した場合の後輪の将来の移動軌跡を表示面上に表した軌跡である。
【０００９】
特定の操舵角は、予め設定された任意の角度であり、後述する第２の態様のように車両の直進走行時に対するハンドルの最大操舵角であってもよく、最大操舵角に対して所定の割合となる操舵角（例えば最大操舵角の１／２）であってもよい。
【００１０】
表示される推定後輪軌跡は、第１操舵角に対応した第１推定後輪軌跡と第２操舵角に対応した第２推定後輪軌跡というように、複数の特定の操舵角にそれぞれ対応した複数の推定後輪軌跡であってもよい。但し、推定後輪軌跡は、単数であるか複数であるかに関わらず、現在の操舵角とは無関係に固定的に一律に表示される。
【００１１】
上記構成では、後輪を含む車両の側後方の画像が表示される表示面に、後輪の画像から延びる推定後輪軌跡が表示される。表示される推定後輪軌跡は、特定の操舵角に対応した軌跡であるため、現在の操舵角に対応した後輪の移動軌跡とは必ずしも一致しないが、運転者は、表示された推定後輪軌跡を基準として後輪の移動軌跡を比較的容易に予測（イメージ）することができる。従って、運転者は、表示面に表示された車両の側後方の画像と推定後輪軌跡とを視ることによって、将来の後輪軌跡を容易に把握することができ、早い段階から周囲の物体等との接触を回避することができる。
【００１２】
また、表示面の車両の側後方の画像は、車両の走行に伴い推定後輪軌跡に対して変化するので、運転者は、走行中に時々刻々と変化する周辺環境と将来の後輪軌跡との位置関係を常に的確に把握することができる。
【００１３】
本発明の第２の態様は、第１の態様の後輪軌跡表示装置であって、上記特定の操舵角は、車両の直進走行時に対する最大操舵角である。
【００１４】
上記構成では、表示面の推定後輪軌跡よりも外側（車両から離間する側）の領域は、原則として（タイヤのスリップ等の外乱の影響を受けた場合を除き）車両との接触が発生しない領域であり、表示面の推定後輪軌跡よりも内側（車両と推定後輪軌跡との間）の領域は、車両との接触が発生する可能性がある領域である。従って、運転者は、表示面に表示された物体等が推定後輪軌跡の外側か内側かを視認することによって、物体等との接触を回避するように車両を的確に操舵することができる。
【００１５】
本発明の第３の態様は、第１又は第２の態様の後輪軌跡表示装置であって、車両が右折準備中又は右折中であるとき右折支援状態であると判定し、車両が左折準備中又は左折中であるとき左折支援状態であると判定する右左折判定手段を備える。表示面は、車両の右側に設けられて右側の後輪の画像を表示する右表示面と、車両の左側に設けられて左側の後輪の画像を表示する左表示面とを有する。後輪軌跡表示手段は、右折支援状態であると右左折判定手段が判定したとき、車両が右転回して前進した場合の右側の後輪の将来の移動軌跡を、右折時の推定後輪軌跡として右表示面に表示する。また、後輪軌跡表示手段は、左折支援状態であると右左折判定手段が判定したとき、車両が左転回して前進した場合の左側の後輪の将来の移動軌跡を、左折時の推定後輪軌跡として左表示面に表示する。
【００１６】
なお、車両の状態に関する車両情報を逐次検出する車両情報検出手段を設け、右左折判定手段は、車両情報検出手段が検出した車両情報に基づいて右折支援状態及び左折支援状態を判定してもよい。
【００１７】
上記構成では、右折準備中又は右折中は右表示面に右折時の推定後輪軌跡が表示され、左折準備中又は左折中は左表示面に左折時の推定後輪軌跡が表示されるので、車両を転回して前進させる運転者は、右折時には右表示面を、左折時には左表示面をそれぞれ視ることによって、将来の後輪軌跡を容易に把握することができる。
【００１８】
本発明の第４の態様は、第１の態様又は第２の態様の後輪軌跡表示装置であって、車両が後退準備中又は後退中であるとき後退支援状態であると判定する後退判定手段を備える。表示面は、車両の右側に設けられて右側の後輪の画像を表示する右表示面と、車両の左側に設けられて左側の後輪の画像を表示する左表示面とを有する。後輪軌跡表示手段は、後退支援状態であると後退判定手段が判定したとき、車両が右転回して後退した場合の右側の後輪の将来の移動軌跡を、右後退時の推定後輪軌跡として右表示面に表示するとともに、車両が左転回して後退した場合の左側の後輪の将来の移動軌跡を、左後退時の推定後輪軌跡として左表示面に表示する。
【００１９】
なお、車両の状態に関する車両情報を逐次検出する車両情報検出手段を設け、後退判定手段は、車両情報検出手段が検出した車両情報に基づいて後退支援状態を判定してもよい。
【００２０】
上記構成では、後退準備中又は後退中は、右表示面に右後退時の推定後輪軌跡が表示され、左表示面に左後退時の推定後輪軌跡が表示されるので、車両を転回して後退させる運転者は、右転回時には右表示面を、左転回時には左表示面をそれぞれ視ることによって、将来の後輪軌跡を容易に把握することができる。
【００２１】
本発明の第５の態様は、第１〜第４の何れかの態様の後輪軌跡表示装置であって、表示面は、後輪を含む車両の側後方の画像を鏡像として映すバックミラーの鏡面である。後輪軌跡表示手段は、後輪の鏡像から延びる推定後輪軌跡を鏡面に表示する。
【００２２】
上記構成では、バックミラーの鏡面を表示面として用いるので、既存の車両に対して後輪軌跡表示装置を簡易に設けることができ、汎用性が高まる。
【００２３】
本発明の第６の態様は、第５の態様の後輪軌跡表示装置であって、鏡面は、透過性を有し、後輪軌跡表示手段は、複数の発光部を有する。複数の発光部は、推定後輪軌跡に沿って鏡面の裏面側に配置されて発光する。
【００２４】
上記構成では、推定後輪軌跡が鏡面に発光表示されるので、周囲環境によらず（夜間等であっても）、運転者は容易に後輪軌跡を把握することができる。
【００２５】
複数の発光部を、鏡面の面方向に沿って移動可能に設けてもよい。
【００２６】
上記構成では、運転席に着座した運転者の目の位置とバックミラーの鏡面との相対位置（鏡面に対する視線の角度）が変わり、推定後輪軌跡が後輪の鏡像からずれた場合であっても、鏡面の角度を変更することなく、発光部を移動させることによって、推定後輪軌跡を後輪の鏡像に合わせることができる。
【発明の効果】
【００２７】
本発明によれば、車両を転回走行させる運転者は、将来の後輪軌跡を容易に把握することが可能となり、早い段階から周囲の物体等との接触を回避することができる。
【図面の簡単な説明】
【００２８】
【図１】本発明の一実施形態のバックミラーの鏡面を車両の前進転回時に運転席から視た状態を示す模式図であり、（ａ）は右折時の右ミラーを、（ｂ）は左折時の左ミラーをそれぞれ示す。
【図２】図１のバックミラーの鏡面を車両の後退時に運転席から視た状態を示す模式図であり、（ａ）は右ミラーを、（ｂ）は左ミラーをそれぞれ示す。
【図３】図１のバックミラーの断面図である。
【図４】図３の発光ユニットの平面図である。
【図５】本発明の一実施形態の後輪軌跡表示装置の機能ブロック図である。
【図６】車両の状態とバックミラーの表示との関係を示す表である。
【図７】本実施形態の後輪軌跡表示処理を示すフローチャートである。
【図８】発光ユニットの変形例を示す平面図である。
【図９】推定後輪軌跡の表示態様の変形例を示す模式図であり、（ａ）はライン表示を、（ｂ）は扇型表示を、（ｃ）は円弧ライン表示をそれぞれ示す。
【発明を実施するための形態】
【００２９】
本発明の一実施形態について図面を参照して説明する。本実施形態では、後輪軌跡表示装置３が搭載される車両１がトラック（商用車）の場合を説明するが、本発明の後輪軌跡表示装置３は、乗用車など様々な種類の車両に搭載可能である。また、以下の説明において、前後方向は車両の前後方向であり、左右方向は車両前方を向いた状態での左右方向である。
【００３０】
図１及び図２に示すように、車両１のキャブ２の右側及び左側の側部前端には、バックミラー（サイドミラー）４がそれぞれ設けられている。左側及び右側のバックミラー４（右ミラー４Ｒと左ミラー４Ｌ）は、図３に示すように、鏡面（表示面）５とミラー本体６と鏡面支持体７とミラー傾動装置８とをそれぞれ有する。ミラー本体６は、キャブ２の外面から延びるミラーステイ９に固定的に支持され、鏡面支持体７は、ミラー本体６の内部に固定されたミラー傾動装置８によって傾動可能に支持される。鏡面５は、鏡面支持体７の後面に一体的に設けられ、車室外に配置されて車両１の側後方を映す。鏡面５は、上下方向に沿った回転軸を中心として傾動可能（水平スイブル可能）で、且つ左右方向に沿った回転軸を中心として傾動可能（垂直スイブル可能）である。鏡面５のスイブルは、車室内から制御操作可能（スイブル調整可能）に、ミラー傾動装置７のステッピングモータ（図示省略）によって実行される。なお、バックミラー４は、手動によって傾動可能に支持されてもよい。また、車両が乗用車やピックアップトラックなどの場合、ドアミラーやフェンダーミラーがバックミラーとなる。鏡面５は、裏面側からの照射光を表面側に透過させる透過性素材によって形成されている。
【００３１】
バックミラー４の鏡面５は、後輪（後タイヤ）を含む車両１の側後方の画像を、運転席に着座した運転者が視認可能な鏡像として映す。図１及び図２に示すように、右ミラー４Ｒの鏡面（右表示面）５Ｒには右側の後輪（右後タイヤ）の鏡像ＭＴＲが映され、左ミラー４Ｌの鏡面（左表示面）５Ｌには左側の後輪（左後タイヤ）の鏡像ＭＴＬが映される。
【００３２】
バックミラー４の内部の鏡面５の裏面側には、発光ユニット２０（図３に示す）が設けられている。発光ユニット２０は、車両１が転回して前進又は後退した際の後輪の将来の移動軌跡を、後輪の鏡像ＭＴＲ，ＭＴＬの車幅方向外側の接地点（基端１２）から延びる推定後輪軌跡１０Ｒ，１１Ｒ，１０Ｌ，１１Ｌとして鏡面５Ｒ，５Ｌにそれぞれ表示する。
【００３３】
推定後輪軌跡１０Ｒ，１１Ｒ，１０Ｌ，１１Ｌとは、車両１が特定の操舵角で右方向又は左方向へ転回した場合の転回内側（右転回時には右側、左転回時には左側）の後輪の将来の移動軌跡を鏡面５上に表した軌跡であり、本実施形態では、特定の操舵角として車両１の直進走行時に対するハンドルの最大操舵角（右転回時及び左転回時の各フルステア）を用いている。なお、推定後輪軌跡１０Ｒ，１０Ｌは、前進転回時（右折時及び左折時）の推定後輪軌跡１０であり、推定後輪軌跡１１Ｒ，１１Ｌは、後退時（右転回時及び左転回時）の推定後輪軌跡１１である。
【００３４】
鏡面５における後輪移動軌跡１０，１１の表示位置は、鏡面５の傾斜角度を所定推奨角度に固定し、且つ標準的な体格の運転者による視認を想定した場合、操舵角（本実施形態では最大操舵角）と車両１の諸元（ホイールベースや運転席の位置など）とから予め演算等によって求めることが可能である。後輪移動軌跡１０，１１は、最大操舵角と車両１の諸元とから予め求められ、鏡面５に対して固定的に設定される。なお、運転者が視認する後輪の鏡像ＭＴＲ，ＭＴＬと後輪移動軌跡１０，１１との相対位置は、鏡面５の実際の傾斜角度や運転者の体格等によって変わるため、運転者は、車両１の走行開始時に、鏡面５の傾斜角度を調節して推定後輪軌跡１０，１１の各基端１２を後輪の鏡像ＭＴＲ，ＭＴＬに合わせる。
【００３５】
表示される推定後輪軌跡１０，１１は、右折時の推定後輪軌跡１０Ｒ（図１（ａ）に示す）と、左折時の推定後輪軌跡１０Ｌ（図１（ｂ）に示す）と、右後退時の推定後輪軌跡１１Ｒ（図２（ａ）に示す）と、左後退時の推定後輪軌跡１１Ｌ（図２（ｂ）に示す）の４種類（前進時用の左右の２種類と後退時用の左右の２種類）である。右折時及び右後退時の推定後輪軌跡１０Ｒ，１１Ｒが右ミラー４Ｒの鏡面５Ｒに選択的に表示され、左折時及び左後退時の推定後輪軌跡１０Ｌ，１１Ｌが左ミラー４Ｌの鏡面５Ｌに選択的に表示される。
【００３６】
右折時の推定後輪軌跡１０Ｒは、車両１が右転回して前進した場合の右側の後輪の将来の移動軌跡であり、右側の後輪の鏡像ＭＴＲから右斜め下方へ延びる。左折時の推定後輪軌跡１０Ｌは、車両１が左転回して前進した場合の左側の後輪の将来の移動軌跡であり、左側の後輪の鏡像ＭＴＬから左斜め下方へ延びる。右後退時の推定後輪軌跡１１Ｒは、車両１が右転回して後退した場合の右側の後輪の将来の移動軌跡であり、右側の後輪の鏡像ＭＴＲから右斜め上方へ延びる。左後退時の推定後輪軌跡１１Ｌは、車両１が左転回して後退した場合の左側の後輪の将来の移動軌跡であり、左側の後輪の鏡像ＭＴＬから左斜め上方へ延びる。右側の２本の推定後輪軌跡１０Ｒ，１１Ｒは同一の基端１２から延び、左側の２本の推定後輪軌跡１０Ｌ，１１Ｌは同一の基端１２から延びる。
【００３７】
図３及び図４に示すように、発光ユニット２０は、発光ボード２２に固定されて点灯及び消灯する複数の発光部２１を有し、発光ボード２２は、鏡体支持体７に固定される。発光部２１は、例えばＬＥＤ（発光ダイオード）によって構成され、複数の発光部２１によって表示部（後輪軌跡表示手段）２３（図５に示す）が構成される。複数の発光部２１は、鏡面５の裏面に対向した状態で、推定後輪軌跡１０，１１に沿って配置される。複数の発光部２１は、推定後輪軌跡１０，１１の各基端１２に配置される基準発光部２１Ｎと、基準発光部２１から前進転回時の推定後輪軌跡１０に沿って配置される複数の前進用発光部２１Ｆと、基準発光部２１から後退時の推定後輪軌跡１１に沿って配置される後退用発光部２１Ｒとからなる。前進用発光部２１Ｆは、推定後輪軌跡１０を破線状に発光表示し、後退用発光部２１Ｒは推定後輪軌跡１１を破線状に発光表示する。発光部２１Ｆ，２１Ｒの発光態様は、常時点灯や長い周期の点滅など任意である。推定後輪軌跡１０，１１は、発光部２１Ｆ，２１Ｒの発光時にのみ鏡面５に表示され、消灯時には表示されない。なお、本実施形態の基準発光部２１は、運転者が後輪の鏡像ＭＴＲ，ＭＴＬを基端１２に合わせる際に基端１２の位置を把握可能なように、常時発光して基端１２を表示する。
【００３８】
［後輪軌跡表示装置３の構成］
図５に示すように、後輪軌跡表示装置３は、表示制御部３０と、ギア段判定スイッチ４１と、ウインカスイッチ４２と、表示部２３と、鏡面５を備える。
【００３９】
表示制御部３０は、ＣＰＵ（Central Processing Unit）、ＲＯＭ（Read Only Memory）、ＲＡＭ（Random Access Memory）、内部時計、タイマ等を備えた電算処理装置であり、車両１に搭載される。ＣＰＵは、ＲＯＭに記憶された後輪軌跡表示制御プログラムに従って処理を実行することにより、作動判定部（右左折判定手段、後退判定手段）３１及び表示演算部（後輪軌跡表示手段）３２として機能する。
【００４０】
ギア段判定スイッチ（シフトスイッチ）４１は、シフトレバー（図示省略）のシフトポジションを所定時間毎に検出し、ギア段情報として表示制御部３０へ送信する。ギア段情報は、エンジン（図示省略）と駆動輪軸（図示省略）との間に介設された変速機構（図示省略）のギア段（図示省略）を特定する情報である。本実施形態の車両１はマニュアルトランスミッション（ＭＴ）車であり、シフトポジションは、車両１を前進させるための１速、２速、３速、・・・と、エンジン（図示省略）との接続を解除するニュートラルポジションＮと、車両１を後退させるためのリバースポジションＲ（Ｒレンジ）と、車両１の停車状態を維持させるためのパーキングポジジョンＰ（Ｐレンジ）とを含む。なお、車両１がオートマチックトランスミッション（ＡＴ）車の場合、１速、２速、３速、・・・は、ドライブポジションＤになる。
【００４１】
ウインカスイッチ４２は、ウインカレバー（図示省略）のウインカポジションを所定時間毎に検出し、ウインカ情報として表示制御部３０へ送信する。ウインカポジションは、消灯（非表示）、右折表示（右点滅）及び左折表示（左点滅）の３ポジションであり、ウインカ情報は、運転者が右折又は左折のためにウインカ表示を行っているか否かを示す情報である。
【００４２】
ギア段情報とウインカ情報とは、車両１の状態に関する車両情報であり、シフトスイッチ４１とウインカスイッチ４２とは、車両１の状態に関する車両情報を逐次検出する車両情報検出手段を構成する。
【００４３】
運転者は、車両１の直進走行時や後退時は、ウインカレバーを非表示に維持し、右折時（右折準備中又は右折中）は右折表示にシフトし、左折時（左折準備中又は左折中）は左折表示にシフトする。また、車両１の後退時（後退準備中又は後退中）には、シフトレバーをＲレンジにシフトする。
【００４４】
作動判定部３２は、ギア段情報が１速以上（１速、２速、３速・・・）であって、ウインカ情報が右折表示のときは右折支援状態であると判定し、右折表示のときは左折支援状態であると判定する。また、ギア段情報がＲレンジのときは後退支援状態であると判定する。
【００４５】
表示演算部３２は、作動判定部３１の判定結果に応じて、表示部２３の発光制御を実行する。具体的には、右折支援状態であると作動判定部３１が判定したときには、右ミラー４Ｒの前進用発光部２１Ｆを発光させ、左折支援状態であると作動判定部３１が判定したときには、左ミラー４Ｌの前進用発光部２１Ｆを発光させる。また、後退支援状態であると作動判定部３１が判定したときには、右ミラー４Ｒ及び左ミラー４Ｌの後退用発光部２１Ｒを発光させる。
【００４６】
このような発光制御により、図６に示すように、右折支援状態（前進右折時）では、左右のバックミラー４の各鏡面５のうち右ミラー４Ｒの鏡面５Ｒに右折時の推定後輪軌跡１０Ｒが表示され、他の推定後輪軌跡１０Ｌ，１１Ｒ，１１Ｌは表示されない。左折支援状態（前進左折時）では、左右のバックミラー４の各鏡面５のうち左ミラー４Ｌの鏡面５Ｌに左折時の推定後輪軌跡１０Ｌが表示され、他の推定後輪軌跡１０Ｒ，１１Ｒ，１１Ｌは表示されない。後退支援状態（後退時）では、右ミラー４Ｒの鏡面５Ｒと左ミラー４Ｌの鏡面５Ｌとにそれぞれ後退時の推定後輪軌跡１１Ｒ，１１Ｌが表示され、右折時及び左折時の推定後輪軌跡１０Ｒ，１０Ｌは表示されない。
【００４７】
例えば、直進走行から左折するために運転者がウインカレバーを左折表示にシフトすると、左折準備中となり、左ミラー４Ｌに推定後輪軌跡１０Ｌが表示される。推定後輪軌跡１０Ｌの表示は、運転者がハンドルを左操舵している左折中も継続し、運転者がハンドルを直進方向に戻してウインカレバーが消灯に戻ることによって終了する。
【００４８】
また、停車から後退するために運転者がシフトレバーをＲレンジにシフトすると、後退準備中となり、右ミラー４Ｒ及び左ミラー４Ｌに推定後輪軌跡１１Ｒ，１１Ｌが表示される。推定後輪軌跡１１Ｒ，１１Ｌの表示は、車両１の後退中も継続し、運転者が車両１を停車してシフトレバーをＲレンジ以外にシフトすることによって終了する。
【００４９】
［表示制御部３０が実行する処理］
次に、表示制御部３０が実行する処理について、図７のフローチャートを参照して説明する。本処理は、運転者がエンジンを始動することによって開始される。
【００５０】
図７に示すように、本処理を開始すると、受信したギア段情報がＲレンジか否かを判定する（ステップＳ１）。
【００５１】
ギア段情報がＲレンジであれば（ステップＳ１：ＹＥＳ）、後退支援状態であると判定し、右ミラー４Ｒと左ミラー４Ｌとにそれぞれ後退時の推定後輪軌跡１１Ｒ，１１Ｌを表示する（ステップＳ２）。続いて、受信したギア段情報がＲレンジ以外に変更されたか否かを判定し（ステップＳ３）、Ｒレンジが維持されている間は（ステップＳ３：ＮＯ）、推定後輪軌跡１１Ｒ，１１Ｌの表示を継続する。
【００５２】
受信したギア段情報がＲレンジ以外に変更されると（ステップＳ３：ＹＥＳ）、推定後輪軌跡１１Ｒ，１１Ｌを消灯して（ステップＳ４）、本処理を終了する。
【００５３】
受信したギア段情報がＲレンジ以外であれば（ステップＳ１：ＮＯ）、さらにギア段情報が１速以上であるか否かを判定する（ステップＳ５）。
【００５４】
ギア段情報が１速以上であれば（ステップＳ５：ＹＥＳ）、続いて、受信したウインカ情報が右折表示か否かを判定する（ステップＳ６）。
【００５５】
ウインカ情報が右折表示であれば（ステップＳ６：ＹＥＳ）、右折支援状態であると判定し、右ミラー４Ｒに右折時の推定後輪軌跡１０Ｒを表示する（ステップＳ７）。続いて、受信したウインカ情報が消灯に変更されたか否かを判定し（ステップＳ８）、右折表示が維持されている間は（ステップＳ８：ＮＯ）、推定後輪軌跡１０Ｒの表示を継続する。
【００５６】
受信したウインカ情報が右折表示でなければ（ステップＳ６：ＮＯ）、さらにウインカ情報が左折表示であるか否かを判定し（ステップＳ９）、ウインカ情報が左折表示であれば（ステップＳ９：ＹＥＳ）、左折支援状態であると判定し、左ミラー４Ｌに左折時の推定後輪軌跡１０Ｌを表示する（ステップＳ１０）。続いて、受信したウインカ情報が消灯に変更されたか否かを判定し（ステップＳ８）、左折折表示が維持されている間は（ステップＳ８：ＮＯ）、推定後輪軌跡１０Ｌの表示を継続する。
【００５７】
受信したウインカ情報が消灯に変更されると（ステップＳ８：ＹＥＳ）、推定後輪軌跡１１Ｒ，１１Ｌを消灯して（ステップＳ４）、本処理を終了する。
【００５８】
なお、ギア段情報がＲレンジ又は１速以上の何れでもない場合（ステップＳ５：ＮＯ）、及びギア段情報は１速以上であるがウインカ情報が消灯の場合（ステップＳ９：ＮＯ）には、車両１の後退や前進転回が生じていない又は生じる可能性が低いため、ステップＳ１に戻る。
【００５９】
以上説明したように、本実施形態によれば、後輪を含む車両の側後方の画像が表示されるバックミラー４の鏡面５に、後輪の画像ＭＴＲ，ＭＴＬから延びる推定後輪軌跡１０，１１が表示される。表示される推定後輪軌跡１０，１１は、最大操舵角に対応した軌跡であるため、現在の操舵角に対応した後輪の移動軌跡とは必ずしも一致しないが、運転者は、表示された推定後輪軌跡１０，１１を基準として後輪の移動軌跡を比較的容易に予測（イメージ）することができる。従って、運転者は、鏡面５に表示された車両１の側後方の鏡像と推定後輪軌跡１０，１１とを視ることによって、将来の後輪軌跡を容易に把握することができ、早い段階から周囲の物体等との接触を回避することができる。
【００６０】
例えば、道路に走行ラインが無いなど走行中の運転者にとって運転中の車両１の位置を把握する手がかりが無い場合や、ホイールベースが長く内輪差が大きい車両１の場合に、推定後輪軌跡１０，１１の表示は特に有効に運転者を支援する。
【００６１】
バックミラー４の鏡面５は、運転者が車両１を転回させる際に必ず視認する対象であるので、特別な視認動作を要することがない。
【００６２】
鏡面５に映る車両１の側後方の鏡像（車両１の周囲の鏡像）は、車両１の走行に伴い推定後輪軌跡１０，１１に対して変化するので、運転者は、走行中に時々刻々と変化する周辺環境と将来の後輪軌跡との位置関係を常に的確に把握することができる。
【００６３】
最大操舵角に対応する推定後輪軌跡１０，１１が鏡面５に表示されるので、鏡面５の推定後輪軌跡１０，１１よりも外側（車両１から離間する側）の領域は、原則として（タイヤのスリップ等の外乱の影響を受けた場合を除き）車両１との接触が発生しない安全域５１となる。また、鏡面５の推定後輪軌跡１０，１１よりも内側（車両１と推定後輪軌跡１０，１１との間）の領域は、車両１との接触が発生する可能性がある危険域５２となる。従って、運転者は、鏡面５に表示された物体等が推定後輪軌跡１０，１１の外側か内側かを視認することによって、物体等との接触を回避するように車両１を的確に操舵することができる。
【００６４】
右折時は右ミラー４Ｒに右折時の推定後輪軌跡１０Ｒが表示され、左折時は左ミラー４Ｌに左折時の推定後輪軌跡１０Ｌが表示されるので、車両１を転回して前進させる運転者は、右折時には右ミラー４Ｒを、左折時には左ミラー４Ｌをそれぞれ視ることによって、将来の後輪軌跡を容易に把握することができる。
【００６５】
右折時は、右ミラー４Ｒに推定後輪軌跡１０Ｒを表示し、他の推定後輪軌跡１０Ｌ，１１Ｒ，１１Ｌは表示せず、左折時は、左ミラー４Ｌに推定後輪軌跡１０Ｌを表示し、他の推定後輪軌跡１０Ｒ，１１Ｒ，１１Ｌを表示しない。このように、左右のバックミラー４のうち運転者にとって視認する必然性が高い方のバックミラー４にのみ必要な情報（推定後輪軌跡１０）を提示する。このように、運転者に対する無駄な情報提供が抑制されるので、運転者は車両１を安全に運転することができる。
【００６６】
後退時は、右ミラー４Ｒに右後退時の推定後輪軌跡１１Ｒが表示され、左ミラー４Ｌに左後退時の推定後輪軌跡１１Ｌが表示されるので、車両１を転回して後退させる運転者は、右転回時には右ミラー４Ｒを、左転回時には左ミラー４Ｌをそれぞれ視ることによって、将来の後輪軌跡を容易に把握することができる。
【００６７】
推定後輪軌跡１０，１１が鏡面５に発光表示されるので、周囲環境によらず（夜間等であっても）、運転者は容易に後輪軌跡１０，１１を把握することができる。
【００６８】
また、バックミラー４の鏡面５を表示面として用いるので、バックミラー４を備えた既存の車両に対して後輪軌跡表示装置３を簡易に設けることができ、汎用性が高まる。
【００６９】
＜変形例１＞
上記実施形態では、複数の発光部２１を鏡面５に対して固定的に設けたが、これらを鏡面５の面方向に沿って移動可能に設けてもよい。
【００７０】
例えば、図８に示すように、鏡面支持体７に固定された左右１対の第１ガイドレール６１によって可動プレート６２を上下方向にスライド自在に支持し、可動プレート６２に固定された上下１対の第２ガイドレール６３によって発光ボード２２を左右方向にスライド自在に支持する。鏡面支持体７に回転自在に支持されて第１モータ（図示省略）によって回転する第１ピニオンギヤ６４を、可動プレート６２の上下方向の側縁に形成された第１ラックギヤ６５と噛合し、可動プレート６２に回転自在に支持されて第２モータ（図示省略）によって回転する第２ピニオンギヤ６６を、発光ボード２２の上下方向の側縁に形成された第２ラックギヤ６７と噛合する。第１モータを回転制御することによって可動プレート６２（発光ボード２２）が昇降し、第２モータを回転制御することによって発光ボード２２が左右方向に移動する。これにより、発光ボード２２に固定された複数の発光部２１は、鏡面５の面方向に沿って移動可能となる。
【００７１】
このように、複数の発光部２１（表示部２３）を鏡面５の面方向に沿って移動可能に設けることによって、運転席に着座した運転者の目の位置とバックミラー４の鏡面５との相対位置（鏡面５に対する視線の角度）が変わり、推定後輪軌跡１０，１１が後輪の鏡像ＭＴＲ，ＭＴＬからずれた場合であっても、運転者は、鏡面５の角度を変更することなく、発光部２１（推定後輪軌跡１０，１１）を移動させることによって、推定後輪軌跡１０，１１を後輪の鏡像ＭＴＲ，ＭＴＬに合わせることができる。
【００７２】
＜変形例２＞
上記実施形態では、複数の発光部２１が推定後輪軌跡１０，１１に沿って配置された発光ボード２２を設けたが、これに代えて、多数の発光部がドットマトリックス状（格子状）に配置された発光ボードを設けてもよい。この場合、表示制御部３０は、多数の発光部のうち推定後輪軌跡１０，１１に沿った発光部を特定する情報をＲＡＭ等の記憶手段に予め記憶し、推定後輪軌跡１０，１１に沿った発光部の発光制御を行う。また、推定後輪軌跡１０，１１に沿った発光部を特定する情報として所定の演算式やマップ等を記憶することにより、推定後輪軌跡１０，１１を、運転者からの指示に応じて鏡面５に対して移動表示可能としてもよい。推定後輪軌跡１０，１１を移動表示可能とすることにより、推定後輪軌跡１０，１１が後輪の鏡像ＭＴＲ，ＭＴＬからずれた場合であっても、鏡面５の角度を変更することなく、運転者は、推定後輪軌跡１０，１１を移動させることによって、推定後輪軌跡１０，１１を後輪の鏡像ＭＴＲ，ＭＴＬに合わせることができる。
【００７３】
＜変形例３＞
上記実施形態では、推定後輪軌跡１０，１１の表示態様を破線状としたが、推定後輪軌跡１０，１１の表示態様はこれに限定されない。例えば、図９（ａ）に示すような実線（ライン）状の表示７１や、図９（ｂ）に示すような扇型状の表示７２や、図９（ｃ）に示すような円弧ライン状の表示７３など、様々な態様での表示が可能である。
【００７４】
＜変形例４＞
上記実施形態では、推定後輪軌跡１０，１１に対応する特定の操舵角としてハンドルの最大操舵角を採用したが、特定の操舵角を何れの角度とするかは任意であり、最大操舵角に対して所定の割合となる操舵角（例えば最大操舵角の１／２）であってもよい。
【００７５】
＜変形例５＞
上記実施形態では、１つの特定の操舵角に対応する推定後輪軌跡１０，１１を表示したが、例えば第１操舵角に対応した第１推定後輪軌跡と第２操舵角に対応した第２推定後輪軌跡というように、複数の特定の操舵角にそれぞれ対応した複数の推定後輪軌跡を表示してもよい。但し、この場合であっても、推定後輪軌跡は、現在の操舵角とは無関係に固定的に一律に表示される。
【００７６】
＜変形例６＞
上記実施形態において、推定後輪軌跡１０，１１の外側の安全域５１や内側の危険域５２を識別可能に発光表示（例えば所定の色での発光表示）してもよい。
【００７７】
＜変形例７＞
上記実施形態では、鏡面５を表示面としたが、これに代えて、ＬＣＤ（液晶ディスプレイ）をミラー本体６に取り付け、車外に設置されたカメラが撮像する車両１の側後方の映像をＬＤＣの表示面に表示し、ＬＣＤの表示画像に推定後輪軌跡１０，１１の画像を重ねて表示してもよい。
【００７８】
＜変形例８＞
上記実施形態では、複数の発光部２１の発光制御によって推定後輪軌跡１０，１１を表示したが、鏡面５の表面上に推定後輪軌跡１０，１１に沿った表示部を固定的に設け、推定後輪軌跡１０，１１は常時表示してもよい。例えば、鏡面５の表面に推定後輪軌跡１０，１１に沿って塗料を塗布することによって表示部を形成してもよく、推定後輪軌跡１０，１１に沿って塗料が塗布された透明フィルムを鏡面５の表面に貼着することによって表示部を形成してもよい。推定後輪軌跡１０，１１に沿って塗布する塗料として蛍光塗料を用いてもよく、必要に応じて鏡面５の裏面側から推定後輪軌跡１０，１１を照射可能としてもよい。また、複数の発光部２１を常時発光させることによって、推定後輪軌跡１０，１１を常時表示してもよい。推定後輪軌跡１０，１１を常時表示する場合、表示制御部３０は省略される。
【００７９】
なお、上述の実施形態は本発明の一例である。このため、本発明は上述の実施形態に限定されることはなく、本発明に係る技術的思想を逸脱しない範囲であれば、上述の実施形態及び変形例以外であっても種々の変更が可能であることは勿論である。
【産業上の利用可能性】
【００８０】
本発明の後輪軌跡表示装置は、種々の車両に適用可能である。
【符号の説明】
【００８１】
１：車両
３：後輪軌跡表示装置
４：バックミラー
４Ｒ：右ミラー
４Ｌ：左ミラー
５：鏡面（表示面）
１０，１０Ｒ，１０Ｌ，１１，１１Ｒ，１１Ｌ：推定後輪軌跡
２０：発光ユニット
２１：発光部
２３：表示部（後輪軌跡表示手段）
３０：表示制御部
３１：作動判定部（右左折判定手段、後退判定手段）
３２：表示演算部（後輪軌跡表示手段）
【図１】
2014040190.tif 000003
【図２】
2014040190.tif 000004
【図３】
2014040190.tif 000005
【図４】
2014040190.tif 000006
【図５】
2014040190.tif 000007
【図６】
2014040190.tif 000008
【図７】
2014040190.tif 000009
【図８】
2014040190.tif 000010
【図９】
2014040190.tif 000011